(57)【要約】  注射器ホルダは、注射器保持器を有する本体、細長いフィンガ、および本体に連結された停止部材を含む。フィンガは、工具の助けなしでポンプのソケットに長手方向に挿入され、ホルダが複数の平面で運動することができるようにする。停止部材は、こうした運動を制限する。停止部材は、ポンプの一部上に解放可能にクランプするためのクリップを含むことができる。注射器保持器は、本体内の穴を含むことができ、注射器を着脱可能に取り付けるための穴に取り付けられまたは穴内に延びるアダプタを任意選択で含むことができる。注射器ホルダは、管セット組立体または注入システムに組み込まれることができる。
2009521995.tif 000002
【特許請求の範囲】
【請求項１】
注射器を医療ポンプに着脱可能に取り付けるための注射器ホルダであって、前記注射器ホルダが、
本体と、
本体に連結された注射器保持器と、
本体から外側に延びる細長いフィンガとを備え、該細長いフィンガが、工具の助けなしで医療ポンプのソケット内に長手方向に挿入されて、いったん挿入されると、注射器ホルダが複数の平面で旋回運動を行なうことができるように構成され、前記注射器ホルダがさらに、
本体に連結されて注射器ホルダの旋回運動を制限する停止部材を備える、注射器ホルダ。
【請求項２】
本体が本体内に形成された穴を有し、注射器保持器が穴を含む、請求項１に記載の注射器ホルダ。
【請求項３】
穴が、本体のコア部分内に配置され、かつ細長いフィンガと停止部材との間に位置付けられる、請求項２に記載の注射器ホルダ。
【請求項４】
注射器保持器が、穴内に取り付けられたアダプタをさらに備え、アダプタが、注射器を取り付けるための固定手段を含む、請求項２に記載の注射器ホルダ。
【請求項５】
細長いフィンガが、本体に連結された近位端および遠位端上に形成されたボールを含む遠位端を有する、請求項１に記載の注射器ホルダ。
【請求項６】
細長いフィンガが、近位端と遠位端との間に延びるテーパが付けられた中間部分を有し、中間部分が、円錐形であり、かつ近位端に隣接する第１の直径および遠位端に隣接する第２の直径を有し、第２の直径が、第１の直径よりも小さい、請求項５に記載の注射器ホルダ。
【請求項７】
停止部材が、医療ポンプの一部と係合するように構成されたクリップを含む、請求項１に記載の注射器ホルダ。
【請求項８】
クリップが、第２のジョーに剛直に連結された第１のジョーを含む、請求項７に記載の注射器ホルダ。
【請求項９】
本体、細長いフィンガ、およびクリップが、材料の単一の単体片として形成される、請求項７に記載の注射器ホルダ。
【請求項１０】
医療ポンプ用の管セット組立体であって、前記管セット組立体が、
管と、
管に流体連結されたアダプタと、
管に連結された注射器ホルダとを備え、該注射器ホルダが、
本体と、
本体に連結された注射器保持器と、
本体から外側に延びる細長いフィンガとを備え、前記細長いフィンガが、工具の助けなしで医療ポンプのソケット内に長手方向に挿入され、いったん挿入されると、注射器ホルダが複数の平面で旋回運動を行なうことができるように構成され、前記注射器ホルダがさらに、
本体に連結され注射器ホルダの旋回運動を制限する停止部材を含む、医療ポンプ用の管セット組立体。
【請求項１１】
本体が本体内に形成された穴を有し、注射器保持器が穴を含む、請求項１０に記載の管セット組立体。
【請求項１２】
注射器保持器が、穴内に取り付けられたアダプタをさらに備える、請求項１１に記載の管セット組立体。
【請求項１３】
アダプタが、本体の穴内に剛直に取り付けられる、請求項１２に記載の管セット組立体。
【請求項１４】
アダプタに着脱可能に取り付けられる注射器をさらに備える、請求項１２に記載の管セット組立体。
【請求項１５】
管に連結されたカセットをさらに備える、請求項１４に記載の管セット組立体。
【請求項１６】
注入システムであって、前記注入システムが、
医療ポンプに形成されたソケットを有する医療ポンプと、
医療ポンプに着脱可能に取り付けられた注射器ホルダとを備え、前記注射器ホルダが、
本体と、
本体に連結された注射器保持器と、
本体から外側に延びる細長いフィンガとを備え、前記細長いフィンガが、医療ポンプのソケット内に長手方向に挿入され、注射器ホルダを医療ポンプに工具の助けなしで着脱可能に連結し、いったん挿入されると、注射器ホルダが複数の平面で旋回運動を行なうことができるように構成され、前記注射器ホルダがさらに、
本体に連結されて、ポンプと当接し、注射器ホルダの旋回運動を制限する停止部材を備える、注入システム。
【請求項１７】
注射器保持器に着脱可能に取り付けられる注射器をさらに備える、請求項１６に記載の注入システム。
【請求項１８】
本体が、本体内に形成された穴を有し、穴が、細長いフィンガと停止部材との間に位置付けられ、注射器保持器が、穴および穴内に取り付けられたアダプタを備え、アダプタが、注射器に着脱可能にかつ流体結合されることができる、請求項１７に記載の注入システム。
【請求項１９】
医療ポンプが、ハンドルを含み、停止部材が、ハンドルにクランプするためのジョーを有するクリップである、請求項１６に記載の注入システム。
【請求項２０】
ポンプが、カセットポンプであり、注射器ホルダによって保持される注射器が、カセットを含む管セットに流体連結される、請求項１７に記載の注入システム。
【発明の詳細な説明】
【技術分野】
【０００１】
本発明は、一般に、医療装置の分野に関する。本発明は、より詳細には、注射器を医療ポンプに着脱可能に取り付けるための注射器保持システムに関する。この注射器保持システムは、医療管セット組立体または注入システムに組み込むことができる注射器ホルダを含む。
【背景技術】
【０００２】
注射器は、薬物、造影剤など流体を送るためによく使用される医療装置である。実際、多くの薬物が、送られるために注射器に予め包装される。しかし、注射器のプランジャまたはピストンに力を加えて流体を押し出す間、注射器を適切な方向に保持する必要がある。
【０００３】
一部の電動注入ポンプでは、ポンプに取付けた注射器、および注射器のプランジャを移動させて流体を押し出すための電動プランジャ駆動装置組立体が使用される。取付け機構は、複雑で製造が高コストである場合が多い。
【０００４】
他の電動注入ポンプでは、流体を送るための管での蠕動運動、またはカセットの弾性ダイアフラムでの駆動装置の往復運動が使用される。しかしこうしたポンプでも、時に、注射器を使用して濃縮ボーラス、サプリメントを投与し、または最初の薬物の注入を中断して第２の薬物を投与する必要または要望が存在する。時に、第２のポールスタンドを使用して、注射器または第２のバッグを吊るすことができるが、それには患者の傍に追加のスペースが必要である。こうした追加の傍のスペースが、容易に利用できないこともある。介護人が、手で注射器を保持することもできるが、これは面倒であり、介護人が両手で行なう仕事ができなくなり、非効率的である。
【発明の開示】
【発明が解決しようとする課題】
【０００５】
したがって、効率が良く、使用が実用的であり、製造に対するコスト効率が良い、注射器保持システムが求められている。
【０００６】
本発明の他の目的は、注射器を医療ポンプに着脱可能に取り付けるための注射器ホルダを含む管セット組立体を提供することである。
【０００７】
上記その他の目的は、当業者には明らかになるであろう。
【課題を解決するための手段】
【０００８】
本発明は、一般に、注射器を医療ポンプに着脱可能に取り付けるための注射器保持システムに関する。この注射器保持システムは、医療管セット組立体または注入システムに組み込むことができる注射器ホルダを含む。
【０００９】
本発明の注射器ホルダは、本体を含む。注射器保持器は、本体に連結される。細長いフィンガは、本体に連結されかつ本体から外側に延びる。フィンガは、工具の助けなしで医療ポンプのソケット内に長手方向に挿入されて、いったん挿入されると、注射器ホルダが複数の平面で旋回運動を行なうことができるように構成される。本体に連結された停止部材は、注射器ホルダの旋回運動を制限する。
【００１０】
本発明の一態様では、停止部材は、クリップであり、クリップは、たとえばポンプハンドルなどポンプの一部上に解放可能にクランプするジョーを有し、注射器ホルダの旋回運動を制限し、それによって、注射器ホルダをポンプの所望の固定位置に取り外し可能または着脱可能に取り付ける。注射器ホルダの本体、フィンガ、およびクリップを、有利には材料の単一の単体片として形成することができ、プラスチックおよび従来の成形技術を使用してコスト効率良く製造することができる。
【００１１】
本発明の他の態様では、注射器保持器は、本体内の、好ましくはフィンガと停止部材との間に位置付けられた取付穴を含む。注射器は、取付穴に直接挿入され、したがって所望の方向に直接保持される。あるいは、注射器保持器は、注射器に着脱可能に取付可能なアダプタを含むことができる。アダプタを本体の取付穴内でゆるく受け、または剛直に取り付けることができる。アダプタは、管セット組立体の管に流体連結されることができる。取付穴は、アダプタと共に注射器を所望の方向に間接的に保持する。
【００１２】
注射器保持システムの他の特徴、態様、および利点は、以下の詳細な説明、添付の図面、および添付の特許請求の範囲から容易に明らかになるであろう。
【発明を実施するための最良の形態】
【００１３】
本発明には多様な形態の実施形態が可能であるが、現時点で好ましい実施形態を図で示し、以下に記載する。理解されるように、本開示は、本発明の一例証であると考えられるべきであり、本発明は、示された特定の１つまたは複数の実施形態に限定されないものである。
【００１４】
図１は、本発明による注射器ホルダ４０を含む管セット組立体１０を示す。管セット組立体１０は、ポンプカセット１６の入口１４と流体連結された遠位端を有する第１の管１２を含む。ポンプカセット１６は、出口１８を有し、出口１８に第２の管２０が流体連結される。管セット組立体１０は、ポンプカセット１６から下流側に他の構成要素を含むことができる。こうした構成要素は、任意選択であり、または本明細書に開示される本発明に特に関係がないため、以下だけで簡単に記載する。摺動式クランプ２２は、第２の管２０に動作可能に取り付けられる。Ｙ部位２４は、一体型の一方向弁２６を有し、第２の管２０および第３の管２８の近位端に流体連結される。雄遠位アダプタ３０は、第３の管２８の遠位端に流体連結され、静脈針またはカテーテル（図示せず）を連結して、流体を患者に送ることができるようにする。雄アダプタ３０は、空気フィルタ３２、および管セット組立体１０を静脈針またはカテーテルに固定するための係止カラー３４を含む。
【００１５】
第１の管１２の近位端は、たとえばＨｏｓｐｉｒａ、Ｉｎｃ．ｏｆ  Ｌａｋｅ  Ｆｏｒｅｓｔ、イリノイ州、米国から市販されている、ＬＩＦＥＳＨＩＥＬＤ（登録商標）ＣＬＡＶＥ（登録商標）コネクタなどアダプタ３５に流体連結される。この連結部を、多様な知られている連結手段によって作成することができ、これら連結手段は、限定的ではないが、管１２の近位端のアダプタ３５の本体３７に形成された対合する穴３６への挿入、および従来の溶剤シーラーの塗布、またはアダプタ３５と管１２への対合する雌と雄のルアーロックコネクタの設置を含む。アダプタ３５は、アダプタ３５上に一方向弁３９を含む。管１２と反対の本体３７の端部は、たとえば図１０から図１２で示されるものなど従来の無針注射器２をアダプタ３５に流体連結するために、限定的ではないが、雌ルアーキャップ４１および外部係止ねじ山４３を含む固定手段３９を備える。
【００１６】
図２から図７を参照すると、注射器ホルダ４０は、本体４２を有し、注射器２を保持するための注射器保持器または手段４４を提供する。本発明の一実施形態では、注射器保持器４４は、取付穴４６を含み、取付穴４６は、注射器２を直接受け（図１３）、または上記のアダプタ３５（図１）を通して注射器２を間接的に受ける。取付穴４６は、実質的に直立の注射器方向付け軸４８を画定する。取付穴４６は、上部５０および下部５２を有する。上部５０は、下部５２の直径よりも大きい直径を有する。したがって、ショルダまたは環状棚部５３が、取付穴４６の上部５０と下部５２との間に形成される。
【００１７】
注射器保持手段４４はさらに、上部５０の周囲表面に形成された少なくとも１つの溝または隆起部５４を任意選択で含むことができる。隆起部の場合、隆起部は、注射器方向付け軸４８に向かって内側に延びる。溝の場合、溝は、注射器方向付け軸４８から離れるように延びる。いずれの場合も、溝または隆起部５４は、下部５２に向かって下方に延びる。一実施形態では、溝または隆起部５４は、らせん状に延びて、アダプタ３５または注射器２の対応するねじ山と対合するねじ山を形成する。
【００１８】
他の実施形態では、複数の隆起部５４が、長手方向に、軸方向に真っ直ぐ延び、より好ましくは注射器方向付け軸に対して平行に延びる。隆起部５４は、取付穴４６の上部５０の周囲に等しい間隔をおいて配置される。取付穴４６のサイズおよび隆起部５４のサイズを、注射器２またはアダプタ３５がゆるく保持または案内されるように選択することができる。あるいは、取付穴４６のサイズおよび隆起部５４のサイズは、ホルダ４０とアダプタ３５または注射器２との間に所望の引き抜き力の摩擦または圧力ばめが行なわれるように選択される。いずれの場合も、所望の場合は、アダプタ３５および／または注射器２をホルダ４０に永続的に取り付けるための、限定的ではないが、接着剤、溶剤シーラー、熱溶接、または超音波溶接を含む従来の手段を使用することができる。
【００１９】
当業者には本開示から理解されるように、注射器２をホルダ４０上で永続的または一時的に保持する他の手段が可能である。インタロッキングラグおよびスロットシステムを、ホルダ４０および注射器２またはアダプタ３５に使用することができる。本体４２は、注射器２を所望の方向に保持するために、クリップ、クランプ、または他の締結部（図示せず）を含むことができる。
【００２０】
取付穴４６が、本体４２の実質的に円筒形のコア部分５６内に形成される。細長いフィンガ５８は、本体４２のコア部分５６および注射器方向付け軸４８から外側に延びる。フィンガ５８は、本体４２に連結され、より好ましくは剛直に取り付けられる。フィンガ５８は、注射器方向付け軸４８に対して少なくとも半径方向に延びる。フィンガ５８は、図で示した実施形態では、注射器方向付け軸４８に対して軸方向に僅かに上方にも延びる。
【００２１】
フィンガ５８は、本体４２のコア部分５６に連結される近位端６０、中間部分６２、および遠位端６４を有する。遠位端６４を様々な方法で形状付けて、注射器ホルダ４０の複数の平面での摺動および旋回運動が可能にすることができる。湾曲した切頭円錐形およびバレル形状が十分であるが、遠位端６４は、遠位端に形成されたボール６６を有することがより好ましい。ボール６６は、実質的に球状であることが好ましい。中間部分６２は、限定的ではないが角柱状または円筒形を含む他の形状でも十分であるが、好ましくは円錐形であり、近位端６０に隣接する第１の直径から、遠位端６４またはボール６６に隣接する第１の直径よりも小さい第２の直径に一様にテーパが付けられる。ボール６６の直径は、中間部分６２の第２の直径よりも大きい。ボール６６は、またフィンガ５８の中心長手方向軸７０に存在する中心６８も有する。図４で最も良く見ることができるように、中心長手方向軸７０は、本体４２および取付穴４６を二等分する分断線ＰＬと同じ垂直平面に存在する。分断線ＰＬは、注射器方向付け軸４８に対して直角または垂直である。
【００２２】
本体４２は、コア部分５６の他に、コア部分５６に連結された停止部材７２を有する。当業者には本開示から理解されるように、停止部材７２は、コア部分５６からポンプ６と係合または当接するのに必要な全ての方向に延びることができる。図で示した実施形態では、停止部材７２は、コア部分５６および注射器方向付け軸４８から横方向に、または概して半径方向に外方に延びる。停止部材７２は、コア部分５６からフィンガ５８とは異なる方向に、より好ましくはフィンガ５８が突き出る方向に対して概して反対方向に延びる。図で示した実施形態では、停止部材７２は、コア部分５６からフィンガ５８と反対方向に延び、または突き出る。取付穴４６は、フィンガ５８と停止部材７２との間に配置され、または位置付けられる。
【００２３】
停止部材７２は、ビーム７４、クリップ７６、および任意選択のハンドルまたはレバー７８を含む。クリップ７６は、ビーム７４に連結され、以下により詳細に記載するように、注射器ホルダ４０をポンプ６の一部に着脱可能または解放可能に取り付けるように構成される。レバー７８は、ビーム７４に連結されて、ユーザが注射器ホルダ４０を扱い、または注射器ホルダ４０に旋回力を加えることができるようにする。
【００２４】
ビーム７４は、概して水平に延びる長楕円形プレート８０である上部を有する。プレート８０の頂部側または上表面は、ユーザがプレート８０を介してホルダ４０を押し付け、または引っ張る場合の滑りの危険性を低減するために、溝あるいは隆起部、またはより好ましくはたとえば一連の溝または隆起部８２など、摩擦を増強させる手段を任意選択で含むことができる。図で示した実施形態では、等しい間隔を置いて配置された平行の隆起部８２が、コア部分５６に連結されたプレート８０の隣接する近位端からプレート８０の遠位端まで延びる。隆起部８２は、分断線ＰＬに対して横方向に、より好ましくは垂直に延びる。
【００２５】
クリップ７６は、プレート８０の下側に、プレート８０の遠位端に隣接してまたは遠位端の近くに連結され、より好ましくは取り付けられる。ビーム７４は、任意選択でネック８４を含み、クリップ７６を本体４２のコア部分５６およびプレート８０にさらに連結し、または取り付けて、支持および安定性を向上させることができる。ネック８４は、コア部分５６の外径に接合された近位端、およびクリップ７６とプレート８０に接合された遠位端を有する。クリップ７４は、コア部分５６または（存在する場合は）ネック８４に隣接する第１のジョー８６、および好ましくはヒンジ式に第１のジョー８６に連結された第２のジョー８８を含む。この連結を、プレート８０に直接行なうことができ、または連結部によって間接的に行なうことができる。より好ましくは、第２のジョー８８は、第１のジョー８６に剛直に取り付けられ、材料の弾性によって、ヒンジまたは所望の解放可能なクランプ作用がもたらされる。
【００２６】
図７で最も良く見ることができるように、第２のジョー８８の自由端は、垂直断面が概してＳ形状である。第２のジョー８８の自由端は、第１のジョー８６に向かって下方に内側に徐々に率が小さくなるように湾曲した後に、第１のジョー８６から離れるように反対に湾曲する。それによって、ジョー８６とジョー８８との間のより大きい開口９２に至る小さい口９０が提供される。開口９２は、本体４２を横切って横方向に、かつフィンガ５８が本体４２のコア部分５６から突き出る方向に対して概して横方向に延びる。開口９２の位置および方向が、特定の取付け構成またはポンプ６の必要性を満たすように選択することができるが、図で示した実施形態の開口９２は、注射器方向付け軸４８および取付穴４６に対して垂直に延びる。取付穴４６は、クリップ７６または停止部材７２とフィンガ５８との間に位置付けられる。
【００２７】
任意選択のハンドルまたはレバー７８は、図７で最も良く見ることができるように、垂直面で概してＬ形状の断面を有する。レバー７８は、第１の脚９４、および第１の脚９４に連結された、より好ましくは剛直に取り付けられた第２の脚９６を有する。図で示した実施形態では、第２の脚９６は、垂直断面において第１の脚９４よりも長い。図２から図４および図７で最も良く見ることができるように、脚９４と９６は共に、プレート８０と同様に実質的に平坦なプレートである。プレート８０の上表面と同様に、第２の脚９６は、ユーザがレバー７８を扱う際の滑りの危険性を低減するために、溝または隆起部、より好ましくはたとえば一連の溝または隆起部９８など、摩擦を増強させる手段を任意選択で含むことができる上表面を有する。図で示した実施形態では、複数の等しい間隔を置いて配置された平行の隆起部９８が、第１の脚９４に連結された第２の脚９６の隣接する近位端から延びる。隆起部９８は、分断線ＰＬおよびフィンガ５８の前方への突起に対して横方向に、より好ましくは垂直に延びる。隆起部９８は、開口９２の中心軸に対して平行に延びる。
【００２８】
レバー７８の第１の脚９４を、本体４２の残りの部分に様々な位置で連結することができる。レバー７８の第１の脚９４を、ビーム７４にプレート８０の遠位端にまたは遠位端の近くで連結することができる。あるいは、第１の脚９４を、クリップ７６に取り付けて、クリップ７６をビーム７４に連結することもできる。第１の脚９４を、開口９２の反対側に、クリップ７６の第２のジョー８８の外面に取り付けることができる。図で示した実施形態では、第１の脚９４は、第１のジョー８６とビーム７４のプレート８０との交差部、またはその近くで、第２のジョー８８の外表面に取り付けられる。
【００２９】
第１の脚９４は、クリップ７６またはプレート８０から、水平に対して約４５〜１８０度、より好ましくは約９０〜１６５度の角度αで延びる。図で示した実施形態では、この角度αは、約１３５〜１５０度である。第１の脚９４および第２の脚９６を、本発明から逸脱することなく、同様に様々な角度で共に接合することができる。第２の脚９６は、第１の脚９４から約３０〜１５０度の開光角度β、より好ましくは約６０〜１４５度の開光角度β、さらに好ましくは約７５〜１２０度の開光角度βで延びることができる。図で示した実施形態では、角度βは、約７５〜１９０度である。こうしたレバー７８を開口９２の近くであるが口９０に概して反対側に取り付けることによって、クリップ７６をポンプ６の構造に押し付け、またはクリップ７６をそれから引いて解放する有効なレバーが得られる。
【００３０】
図で示した実施形態では、コア部分５６、フィンガ５８、クリップ７６、停止部材７２を含む注射器ホルダ４０が、単一の単体の実質的に剛体であるが幾分弾性部材として形成される。したがって、注射器ホルダ４０を、従来の成形技術を使用して適した市販のプラスチック材料から安価に形成することができる。本発明は、医療用途に使用されるため、米国および欧州の規制基準で指示されているように、材料は、熱または放射殺菌サイクルに耐えることができるものでなければならない。したがって、アクリロニトリルブタジエンスチレン（ＡＢＳ）コポリマー材料の放射強度が一般に好ましい。
【００３１】
図８および図９は、本発明による注射器ホルダ４０を含む注入システム１００を示す。注入システム１００は、ポンプ６、および注射器２をポンプ６上の所望の位置および方向に着脱可能に取り付けるための注射器ホルダ４０を含む。ホルダ４０をポンプ６に設置する前または後に、注射器２を、ホルダ４０に着脱可能に取り付けることができる。当業者には理解されるように、本発明は、限定的ではないが、腸内ポンプ、注入ポンプ、注射器ポンプ、および蠕動ポンプを含む様々なタイプの医療ポンプに使用することができるが、図で示した実施形態のポンプ６は、カセット１６を使用するタイプである。こうしたポンプは、カセットポンプと呼ばれる。ポンプ６は、ハウジング７、およびポンプ６を搬送するためのハウジング７に連結されたハンドル８を有する。
【００３２】
注射器ホルダ４０のフィンガ５８を長手方向に挿入するための位置付けソケット４が、ポンプ６に設けられる。注射器２の所望の位置および方向に応じて、ソケット４を任意の好都合の位置に設けることができる。図で示した実施形態では、ソケット４は、ハウジング７内でポンプ６の表示画面９の後ろ側に形成される。ソケット４は、概して搬送用ハンドル８の反対にあり、ハンドル８は、ポンプ６の背面を横切って概して水平方向に延びるロッドまたはバーを含む。ソケット４を、注射器を取り付ける機能用に単独で形成することができ、または有利には、ハウジング７に存在するねじ穴によって画定することができる。図で示した実施形態では、ソケット４は、ポンプハウジング７内に実質的に水平に延びて、注射器ホルダ４０が、注射器２を実質的に直立の位置に方向付け、注射器方向付け軸４８が、実質的に直立であり、より好ましくは垂直である。フィンガ５８の遠位端６４のボール６６は、ソケット４内に嵌るサイズであり、少なくともフィンガ５８の遠位端６４を、ソケット４内に長手方向に挿入することができるサイズである。フィンガ５８の長さは、好ましくは、ソケット４の深さを超えるように選択される。
【００３３】
停止部材７２のビーム７４の長さは、いったんフィンガ５８がソケット４に挿入されると、ビーム７４が、たとえばハンドル８などソケット４から離れたポンプ６の一部と当接するように選択される。より好ましくは、ビーム７４の長さは、クリップ７６のジョー８６とジョー８８との間の開口９２の口９０が、ハンドル８上に位置付けられるように選択される。いったんフィンガ５８が挿入されると、注射器ホルダ４０は、少なくとも１つの平面内でまだ旋回することができる。より好ましくは、ホルダ４０は、複数の平面（すなわち、少なくとも垂直に、かつフィンガ５８の中心長手方向軸７０の周囲で）で旋回することができる。ソケット４の壁を、ソケット４の入口近くで外側にラッパ状に広げて隙間を設け、注射器ホルダ４０のフィンガ５８の挿入、および注射器ホルダ４０の旋回をさらに容易にすることができる。
【００３４】
注射器ホルダ４０をポンプ６に取り付けるには、ユーザが、限定的ではないが、フィンガ５８、レバー７８、クリップ７６、ビーム７４、またはプレート８０を含む好都合な位置でホルダ４０を把持する。図で示した構成では、ユーザは、注射器ホルダ４０をクリップ７６と共に下向きに位置付ける。最初に、フィンガ５８を僅かに下方に傾斜させた状態でホルダ４０を保持し、停止部材７２を有するホルダ４０の他方の端部を、ハンドル８を回避するように僅かに持ち上げる。ユーザは、フィンガ５８の遠位端６４上のボール６６がソケット４内に入り、クリップ７６がポンプのハンドル８上に位置付けられるまで、フィンガ５８をソケット４に長手方向に挿入する。次いで、ユーザは、最初にポンプのハンドル８と当接しホルダ４０の旋回運動が制限されるように、停止部材７２を下方に押し付けることによって、注射器ホルダ４０を垂直に旋回する。ホルダ４０のポンプ６に対する不慮の移動に対してより良好に固定するために、ユーザは、次いで停止部材７２をプレート８０またはレバー７８によってより強く下に押し付ける。クリップ７６のジョー８６、８８が、弾性的に離れるように屈曲して、ハンドル８が、口９０を通過し、開口９２内に入り、プレート８０の下側と当接することができる。口９０は、自由または弛緩状態で最小幅を有し、その幅は、最初は垂直面におけるハンドル８の対応する幅よりも小さい。したがって、図９で最も良く見ることができるように、ジョー８６、８８は、注射器ホルダ４０がそこに完全にスナップ嵌めされた場合に、ハンドル８に弾性的にクランプされる。注射器ホルダ４０を解放しかつ取り外すには、ユーザは、ジョー８６、８８のクランプ力に十分勝る力でレバー７８を押し上げ、ハンドル８を、クリップ７６の開口９２から自由にする。ユーザは、停止部材７２をハンドル８の上方に旋回し、次いで旋回フィンガ５８をソケット４から長手方向に引き抜いて、注射器ホルダ４０をポンプ６から取り外す。
【００３５】
本発明の注射器ホルダ４０は、非常に柔軟性がある。製造者またはユーザは、注射器ホルダ４０をポンプ６に取り外し可能に取り付ける前または後に、注射器２をホルダ４０に着脱可能に取り付けることができる。前に図１を参照して記載したように、ユーザまたは製造者は、ホルダが管セット組立体１０に組み込まれた場合に、注射器２をホルダ４０に着脱可能に装着し、または取り付けることができる。図１０から図１３を参照すると、ユーザは、さらに他の方法で、注射器ホルダ４０に所望の薬剤が予め充填された従来の注射器２を取り付けることができる。ユーザは、注射器２をシールされたパッケージＰから取り出し、注射器２に付けられたキャップ１０２を有する端部を上に保持し、キャップ１０２を注射器２の遠位または排出端１０４から取り外す。米国特許第５，８０７，３４５号で開示されているように、注射器２の排出端１０４は、従来の雄ルアー装備１０６、装備１０６の周囲の環状カラー１０８、および環状カラー１０８上の雌ねじ山１１０を含む。ユーザは、注射器ホルダ４０をひっくり返して、プレート８０が、下方に面するようにし、注射器２の排出端１０４を取付穴４６内に上向きに挿入する。取付穴４６は、注射器２の環状カラー１０８を案内して受けるように、より好ましくは僅かな手による圧入で保持するように構成された直径を有する。次いで、ユーザは、注射器２およびホルダ４０を、アダプタ３５Ａで管１２に着脱可能に固定する。アダプタ３５Ａは、上記のように管１２に密閉流体結合するための穴３６、並びにそれぞれ注射器２の雄ルアー装備１０６および雌ねじ山１１０と着脱可能に連結するための雌ルアーキャップ４１および少なくとも１つのねじ山４３を有する。ユーザは、雄ルアー装備１０６がアダプタ３５Ａ上の雌ルアーキャップ４１内に延び、ねじ山４３がねじ山１１０と係合するまで、アダプタ３５Ａを取付穴４６内に挿入し、次いで注射器２、ホルダ４０、またはアダプタ３５Ａを注射器方向付け軸４８に対して回転させることによって、注射器２をアダプタ３５Ａおよびホルダ４０に着脱可能に取り付ける。
【００３６】
上記から分かるように、本発明は、少なくとも上記の目的を全て達成するものである。
【００３７】
本発明を幾つかの特定の実施形態に関して記載したが、理解されるように、特許請求の範囲で規定される本発明の意図する広範な範囲から逸脱することなく、当業者は、多くの修正、置換、および付加を行うことができる。
【図面の簡単な説明】
【００３８】
【図１】本発明による注射器ホルダを含む管セット組立体の斜視図である。
【図２】本発明の一実施形態による注射器ホルダの斜視図である。
【図３】図２の注射器ホルダの側面図である。
【図４】図２の注射器ホルダの上平面図である。
【図５】図２の注射器ホルダの底面図である。
【図６】図２の注射器ホルダの正面図である。
【図７】図４の線７−７に沿って取られた本発明の注射器ホルダの断面図である。
【図８】本発明の注射器ホルダを使用して、注射器を含む管セット組立体がポンプに取り付けられた状態のポンプの部分側面図である。
【図９】注射器ホルダおよび注射器が設置された位置にある、図８のポンプの部分斜視図である。
【図１０】従来の予め充填され、キャップが付けられ、包装された注射器の斜視図である。
【図１１】図１０の予め充填された注射器およびキャップの中心長手方向の部分断面図である。
【図１２】包装およびキャップが取り除かれた図１０の注射器の斜視図である。
【図１３】注射器が取付穴に直接取り付けられた、本発明の注射器ホルダの他の実施形態を示す、図７と同様の部分断面図である。
【図１】
2009521995.tif 000003
【図２】
2009521995.tif 000004
【図３】
2009521995.tif 000005
【図４】
2009521995.tif 000006
【図５】
2009521995.tif 000007
【図６】
2009521995.tif 000008
【図７】
2009521995.tif 000009
【図８】
2009521995.tif 000010
【図９】
2009521995.tif 000011
【図１０】
2009521995.tif 000012
【図１１】
2009521995.tif 000013
【図１２】
2009521995.tif 000014
【図１３】
2009521995.tif 000015
【国際調査報告】
2009521995.tif 000016